(57)【要約】【課題】リム線の加工を不要にすることでコストを抑えることを可能にするとともに、レンズの割れ、欠け等を防止することも可能なメガネ用のリムを提供すること。【解決手段】ブリッジ２によって連結された一対のリム３と、ヨロイ５を介して前記リム３のそれぞれにける反ブリッジ側の端部に折りたたみ自在に連結された、先端側にモダン７が装着されたテンプル６と、前記リム３に装着されたレンズ４と、を有するメガネであって、前記リム３は、枠状のリム本体８と、リム本体８の裏面側に、リム本体８との間に空間１１を形成しつつ装着したレンズ押さえ片９と、を備え、前記レンズ４は、その周縁部の一部が前記リム本体８とレンズ押さえ片９との間の空間１１に嵌合するようにして前記リム３に装着されていることを特徴とする。【選択図】図１
2010237390.tif 000002
【特許請求の範囲】
【請求項１】
メガネレンズが取り付けられるメガネ用リムであって、
枠状のリム本体（８）と、
該リム本体（８）の裏面側に、リム本体（８）との間に空間（１１）を形成しつつ装着したレンズ押さえ片（９）と、を備え、
前記リム本体（８）とレンズ押さえ片（９）との間の空間（１１）にメガネレンズ（４）の周縁部を嵌合することで、リム（３）にメガネレンズ（４）を装着可能としたことを特徴とするメガネ用リム。
【請求項２】
前記メガネ押さえ片（９）を、前記リム本体（８）の少なくとも上下にそれぞれ、装着したことを特徴とする請求項１に記載のメガネ用リム。
【請求項３】
ブリッジ（２）によって連結された一対のリム（３）と、
ヨロイ（５）を介して前記リム（３）のそれぞれにける反ブリッジ側の端部に折りたたみ自在に連結された、先端側にモダン（７）が装着されたテンプル（６）と、
前記リム（３）に装着されたレンズ（４）と、を有するメガネであって、
前記リム（３）は、枠状のリム本体（８）と、該リム本体（８）の裏面側に、リム本体（８）との間に空間（１１）を形成しつつ装着したレンズ押さえ片（９）と、を備え、
前記レンズ（４）は、その周縁部が前記リム本体（８）とレンズ押さえ片（９）との間の空間（１１）に嵌合するようにして前記リム（３）に装着されていることを特徴とするメガネ。
【発明の詳細な説明】
【技術分野】
【０００１】
本発明はメガネ用リム及びメガネに係り、より詳しくは、メガネの製造コストを抑えることが可能であるとともに、レンズの割れ、欠け等を防止することも可能なメガネ用のリム及びそのリムを用いたメガネに関する。
【背景技術】
【０００２】
周知のように、メガネは一般的に、内周側にレンズが取り付けられた一対のリムを有しており、このリムの両端側にはそれぞれ、蝶番を介してテンプルが折りたたみ自在に連結されたヨロイが備えられている。
【０００３】
ここで、前記リムは一般的に、レンズの周縁部が嵌合する溝（「リム線」という。）が内周に形成されており、このリム線にレンズの周縁部を嵌合することによって、リムの内周側にレンズが取り付けられている。
【先行技術文献】
【特許文献】
【０００４】
【特許文献１】特開２００１−３３０８０２号公報
【特許文献２】特開２００１−１５４１５６号公報
【発明の概要】
【発明が解決しようとする課題】
【０００５】
このように、一般的にメガネのレンズは、その周縁部をリム線に嵌合することでリムの内周に取り付けられているため、メガネの製造に際しては当然、リムの内周にリム線を形成する工程が必要である。
【０００６】
そして、リム線の形成に際しては、取り付けるレンズの外形形状に対応した形状寸法にする必要がある。
【０００７】
レンズの外形形状とリム線の形状との間に寸法誤差等が存在すると、レンズに部分的な応力が作用してしまい、それによりレンズが割れてしまうおそれが考えられるからである。
【０００８】
しかしながらその一方、リム線の形成においては、正確な形状にリム線を形成することは難しいと言われている。特に金属製のリムの場合には、材質の微妙な変化によって、リム線の塑性変形を均一に行なうことが困難であるため、リム線を正確な形状に加工することができず、そのために、取り付けたレンズには部分的に高い応力が生じてしまっており、これがレンズ割れの原因になっている。
【０００９】
また、薄板をリムとして使用したときにはレンズの欠け（「チッピング」）が生じることがあるが、従来のようにリムの内周に形成したリム線に周縁部を嵌合してレンズを取り付ける方法では、これを確実に防止することは困難であった。
【００１０】
そこで、本発明は、リム線の加工を不要にすることでコストを抑えることを可能にするとともに、レンズの割れ、欠け等を防止することも可能なメガネ用のリムを提供することを課題としている。
【課題を解決するための手段】
【００１１】
本発明のメガネ用リムは、
メガネレンズが取り付けられるメガネ用リムであって、
枠状のリム本体と、該リム本体の裏面側に、リム本体との間に空間を形成しつつ装着したレンズ押さえ片と、を備え、
前記リム本体とレンズ押さえ片との間の空間にメガネレンズの周縁部を嵌合することで、リムにレンズを装着可能としたことを特徴としている。
【００１２】
また、本発明のメガネは、
ブリッジによって連結された一対のリムと、ヨロイを介して前記リムのそれぞれにける反ブリッジ側の端部に折りたたみ自在に連結された、先端側にモダンが装着されたテンプルと、前記リムに装着されたレンズと、を有するメガネであって、
前記リムは、枠状のリム本体と、該リム本体の裏面側に、リム本体との間に空間を形成しつつ装着したレンズ押さえ片と、を備え、
前記レンズは、その周縁部が前記リム本体とレンズ押さえ片との間の空間に嵌合するようにして前記リムに装着されていることを特徴としている。
【発明の効果】
【００１３】
本発明のメガネ用リムは、枠状のリム本体と、このリム本体の裏面側に、リム本体との間に空間を形成しつつ装着したレンズ押さえ片を備えており、リム本体とレンズ押さえ片との間の空間にメガネレンズの周縁部を嵌合することで、リムにレンズを装着可能としている。
【００１４】
そのために、リムの内周にリム線を形成する工程が不要となり、これによりメガネ全体の製造コストを抑えることが可能である。
【００１５】
また、リム本体とレンズ押さえ片との間の空間にメガネレンズの周縁部を嵌合することで、レンズをリムに装着しているため、薄板をリムとして使用した場合であってもレンズ割れの発生を抑えることが可能である。
【図面の簡単な説明】
【００１６】
【図１】本発明のメガネの実施例を示した斜視図である。
【図２】本発明のメガネ用リムの実施例を説明するための図である。
【図３】本発明のメガネ用リムの実施例を説明するための図である。
【発明を実施するための形態】
【００１７】
本発明のメガネ用リムでは、枠状としたリム本体を有しており、このリム本体の裏面側にはレンズ押さえ片が備えられている。
【００１８】
また、レンズ押さえ片は，リム本体の裏面との間に空間が形成されるようにして、リム本体の裏面側に備えられている。
【００１９】
そして、これにより、リム本体とレンズ押さえ片との間の空間にメガネレンズの周縁部を嵌合することで、リムにレンズを装着可能としている。
【００２０】
ここで、メガネ押さえ片を、前記リム本体の裏面側において、少なくとも上下にそれぞれ備えるとよく、これにより、レンズの周縁部の全体を嵌合することによるレンズへの負荷を無くしてレンズ割れの発生をより効果的に防止することができる。
【００２１】
次に、本発明のメガネでは、ブリッジによって連結された一対のリムを有しており、この一対のリムのそれぞれにおける反ブリッジ側の端部には、ヨロイを介して、テンプルが折り畳み自在に連結されており、このテンプルの先端側にはモダンが装着されている。
【００２２】
そして、前記リムは、枠状のリム本体と、このリム本体の裏面側に、リム本体との間に空間を形成しつつ装着されたレンズ押さえ片と、を備えており、前記レンズは、その周縁部が前記リム本体とレンズ押さえ片との間の空間に嵌合するようにして前記リムに装着されている。
【実施例１】
【００２３】
本発明のメガネ用リム（以下単に「リム」と言う。）の実施例について図面を参照して説明すると、図１は、本実施例のメガネを示した斜視図であり、図において１が本実施例のメガネである。
【００２４】
そして、図に示すメガネ１は、一般的なメガネと同様に、ブリッジによって連通された一対のリムを有している。即ち、図において２がブリッジであり、このブリッジ２によって、一対のリム３が互いに連結されており、リム３にはメガネレンズ４が装着されている。
【００２５】
また、それぞれのリム３における反ブリッジ側の端部には、ヨロイ５が連設されており、このヨロイ５の先端にそれぞれ、蝶番を介して、テンプル６が折りたたみ自在に連結され、このテンプル６の先端にはモダン７が装着されている。
【００２６】
なお、本実施例のテンプル６は、四角形の角棒状の外形としており、内部を中空にしたパイプ状材としている。
【００２７】
また、本実施例において前記テンプル６は、長手方向に見た中間部分近傍から先端部にかけて、徐々に細くなるように、テーパー状に径を小さくしており、このテーパー状に径を小さくした部分の先端に、前記モダン７を装着している。
【００２８】
但し、本発明におけるテンプルは必ずしもこのような形態には限定されない。  従って、本実施例ではテンプル６として角棒状のパイプ材を用いたが、必ずしも角棒状にする必要はなく、丸棒状のパイプ材を用いてもよい。また、必ずしも中空のパイプ状にする必要もなく、更に、必ずしもモダン７は必要なものではなく、これを備えなくてもよい。
【００２９】
次に、前記リム３について図２及び図３を参照して詳細に説明すると、図２は本実施例のリム３を説明するための図であり、（ａ）は本実施例のリム３の一方及びその近傍を裏面から示した図であり、（ｂ）は、このリム３に装着されるメガネレンズ４を示している。
【００３０】
そして、本実施例のリム３は、リム本体を有している。即ち、図において８がリム本体であり、本実施例における前記リム本体８は、一般的なメガネにおけるリムと同様に、枠状としており、その内周側の空間をメガネレンズ４が塞ぐこととしている。そして、このリム本体８におけるブリッジ２側の側部には、鼻当て１２が連設されている。
【００３１】
なお、リム本体８の材質、形状は特に限定されず、金属製、樹脂製のいずれでもよく、また、形状は装着するレンズに対応させて様々である。
【００３２】
更に、本実施例におけるリム３は、図からも明らかなように、ブリッジ２と一体に構成されているが、必ずしもこのように構成する必要はない。
【００３３】
次に、図において９は、レンズ押さえ片である。即ち、本実施例のリム３では、前記リム本体８の裏面側の上下に２箇所ずつ、レンズ押さえ片９を備えており、このレンズ押さえ片９によって、レンズ４をリム３に装着することを可能としている。
【００３４】
ここで、前記レンズ押さえ片９について説明すると、図３（ａ）は図２におけるＡ−Ａ線端面、（ｂ）はＢ−Ｂ線端面、（ｃ）はＣ−Ｃ線端面、及び（ｄ）はＤ−Ｄ線端面を示す図であり、点線で示す部分はレンズ４である。そして、本実施例では、前記リム本体８の裏面に、リム本体８の裏面に略直交する方向に連設した連設部１０を有しており、この連設部１０の先端には、リム本体８の内周側に向けてレンズ押さえ片９を連設している。
【００３５】
そして、これにより、リム本体８との間に空間１１を形成しつつ、リム本体８の裏面側にレンズ押さえ片９を装着しており、この空間１１内に、メガネレンズ４の周縁部分の一部を嵌合し、これによりリム３にメガネレンズ４を装着することとしている。
【００３６】
なお、図において１３は、前記レンズ押さえ片９を連通している連通部である。即ち、本実施例では、前記レンズ押さえ片９間に連通部１３を設けて、これにより、レンズ４が揺れ動くことを防止している。
【００３７】
そして、上部のレンズ押さえ片９を連通している連通部１３は、前記リム本体８の裏面に略直交する方向に向けてリム本体８に連設した形態としており、前記連設部１０のみを連通している。
【００３８】
一方、下部のレンズ押さえ片１３は、リム本体８の裏面に略直交する方向に連設した第一連通部１３０１と、この第一連通部１３０１の先端に、リム本体８の内周側に向けて連設した第二連通部１３０２を有しており、第二連通部１３０２は、前記レンズ押さえ片９よりも僅かに短い寸法としている。
【００３９】
次に、このように構成される本実施例のメガネ１の作用について説明すると、本実施例のメガネ１では、枠状のリム本体８と、このリム本体８の裏面側に、リム本体８との間に空間１１を形成しつつ装着したレンズ押さえ片９によりリム３を構成し、リム本体８とレンズ押さえ片９との間の空間１１にメガネレンズ４の周縁部を嵌合することで、リム３にレンズ４を装着可能としている。
【００４０】
このように、本実施例のメガネ１では、リム線を用いずにメガネレンズをリムに装着することとしているために、リムの内周にリム線を形成する工程が不要となり、これによりメガネ全体の製造コストを抑えることが可能である。
【００４１】
また、リム本体とレンズ押さえ片との間の空間にメガネレンズの周縁部を嵌合することでレンズをリムに装着しているため、薄板をリムとして使用した場合であってもレンズ割れの発生を抑えることが可能である。
【００４２】
そしてこのとき、本実施例においては、前記レンズ押さえ片をリム本体の上下の２箇所にそれぞれ備え、４点でレンズ４をリム３に支持しているために、レンズの周縁部の全体をリム線に嵌合してメガネレンズを装着する従来の方法と異なり、レンズへの負荷を少なくし、それにより、レンズ割れの発生をより効果的に防止することができる。
【００４３】
その一方、レンズ押さえ片を連通した連通部を備えているために、レンズが揺れ動いてしまうことを防止することも可能である。
【００４４】
なお、前述の説明では、リム本体８の裏面側の上下に２箇所ずつレンズ押さえ片９を備えた場合を説明したが、レンズ押さえ片９を備える箇所は、リム本体８の裏面側の上下に２箇所ずつには限定されない。即ち、レンズが四角形の場合には、上下２箇所のみで押さえた場合にはレンズが不安定になるおそれも考えられるために、このような場合には更に、リム本体８の裏面側の左右側双方あるいは左右側のいずれかに、前述した形態と同様な、リム本体８との間に空間１１を形成しつつ装着したレンズ押さえ片を備えてもよい。
【産業上の利用可能性】
【００４５】
本発明のメガネ用リムでは、リム本体とレンズ押さえ片との間に形成した空間にメガネレンズの周縁部の一部を嵌合することでレンズをリムに装着することとしているために、リム線を形成する工程が不要となりメガネ全体の製造コストを抑えることが可能であるとともに、薄板をリムとして使用した場合であってもレンズ割れの発生を抑えることが可能であるため、割れや欠けが発生するおそれを有するレンズを備えたメガネ全般に適用可能である。
【符号の説明】
【００４６】
１    メガネ
２    ブリッジ
３    リム
４    レンズ
５    ヨロイ
６    テンプル
７    モダン
８    リム本体
９    押さえ片
１０    連設部
１１    空間
１２    鼻当て
１３    連通部
１３０１    第一連通部
１３０２    第二連通部
【図１】
2010237390.tif 000003
【図２】
2010237390.tif 000004
【図３】
2010237390.tif 000005